(57)【要約】      （修正有）【課題】本来の連結・支持機能のほかに腕力トレーニング機能を果たすことを可能にする腕力トレーニング棒を提供する。【解決手段】グリップ１０、締め付けユニット２０およびスリーブ管３０を備える。グリップ１０は、スリーブ１１によって被覆され、一端に重り１３の装着に用いる、後端にストッパー１４を有する装着区１２を有し、端面にねじ山孔１５を有する。締め付けユニット２０のシャフト２１は、一端にねじ山孔１５と噛み合うねじ山部位２２を有し、他端にストッパー２３および、グリップ１０を緩めるあるいは締め付けることが可能な旋転ボタン２４を有する。スリーブ管３０は、細長い形を呈し、その中央に長軸方向に沿って貫通する貫通孔３１を有し、貫通孔３１によってシャフト２１に被さり、両端が２つのストッパー１４、２３に別々に突き当たる。【選択図】図３
0003155076.tif 000002
【実用新案登録請求の範囲】
【請求項１】
一端にストッパーを有し、端面にねじ山孔を有するグリップと、
一端にグリップのねじ山孔と噛み合うねじ山部位を有するシャフトを具備する締め付けユニットであって、その他端に、ストッパーおよび、回転させることによって緩めるあるいはグリップを締め付けることが可能な旋転ボタンを有する締め付けユニットと、
細長い形を呈し、その中央に長軸方向に沿って貫通する貫通孔を有するスリーブ管と、
を備え、
前記スリーブ管は、前記貫通孔によって前記締め付けユニットの前記シャフトに被さり、両端が前記グリップのストッパーおよび前記締め付けユニットのストッパーに別々に突き当たり、前記シャフトに対し回転することが可能であることを特徴とする腕力トレーニング棒。
【請求項２】
前記グリップは、一端に一つまたは複数の重りの装着に用いる装着区を有し、
前記装着区は一端にストッパーを有し、
前記グリップは、ねじ山孔を有することを特徴とする請求項１に記載の腕力トレーニング棒。
【請求項３】
前記装着区は、前記グリップと前記スリーブ管との間に位置付けられることを特徴とする請求項２に記載の腕力トレーニング棒。
【請求項４】
前記グリップは、その外部をスリーブによって被覆可能に構成されていることを特徴とする請求項１に記載の腕力トレーニング棒。
【請求項５】
前記スリーブ管は、その外部をカバーによって被覆可能に構成されていることを特徴とする請求項１に記載の腕力トレーニング棒。
【考案の詳細な説明】
【技術分野】
【０００１】
本考案は、腕の筋力トレーニングに用いる装置に関し、詳しく言えば腕力トレーニング棒に関するものである。
【背景技術】
【０００２】
ウエイトトレーニングを進める際、重りを使うのは一般的である。重りはダンベル棒によって並列されるため、トレーニングを受ける人は重りを容易に握り、動作の便をはかることが可能である。このときダンベル棒は連結・支持機能のみを提供するため、重りを加えなければ、ダンベル棒は特定の用途を持たず、ただの棒である。
【考案の概要】
【考案が解決しようとする課題】
【０００３】
本考案の目的は、本来の連結・支持機能のほかに腕力トレーニング機能を果たすことを可能にする腕力トレーニング棒を提供することである。
【課題を解決するための手段】
【０００４】
上述の目的を達成するために、本考案による腕力トレーニング棒は、グリップ、締め付けユニットおよびスリーブ管を備える。グリップは一端にストッパーおよびねじ山孔を有する。締め付けユニットはシャフトを有し、シャフトは一端にグリップのねじ山孔と噛み合うねじ山部位を有する。締め付けユニットは他端にストッパーおよび旋転ボタンを有する。スリーブ管は細長い形を呈し、中央に貫通孔を有し、貫通孔はスリーブ管の長軸方向に沿ってスリーブ管を貫通する。スリーブ管は締め付けユニットのシャフトに被さり、両端がグリップのストッパーおよび締め付けユニットのストッパーに別々に突き当たる。スリーブ管はシャフトに対し回転することが可能である。
【図面の簡単な説明】
【０００５】
【図１】本考案の第一実施形態による腕力トレーニング棒を示す立体外観図である。
【図２】本考案の第一実施形態による腕力トレーニング棒を示す側面図である。
【図３】図２中の３−３線に沿った断面図である。
【図４】本考案の第二実施形態による腕力トレーニング棒を示す立体外観図である。
【図５】本考案の第二実施形態による腕力トレーニング棒を示す側面図である。
【図６】図５中の５−５線に沿った断面図である。
【考案を実施するための形態】
【０００６】
以下、本考案による腕力トレーニング棒を図面に基づいて説明する。
（第一実施形態）
【０００７】
図１から図３に示すように、本考案の第一実施形態による腕力トレーニング棒は、グリップ１０、締め付けユニット２０およびスリーブ管３０を備える。
グリップ１０は、外部がスリーブ１１によって被覆される。グリップ１０は一端に一つまたは複数の重り１３の装着に用いる装着区１２を有し、装着区１２は後端にストッパー１４を有する。グリップ１０は端面にねじ山孔１５を有する。
【０００８】
締め付けユニット２０は、シャフト２１を有し、シャフト２１は一端にグリップ１０のねじ山孔１５と噛み合うねじ山部位２２を有する。締め付けユニット２０は他端にストッパー２３および旋転ボタン２４を有する。旋転ボタン２４は締め付けユニット２０を回転させることによって締め付けユニット２０を緩めるあるいはグリップ１０を締め付けることが可能である。
【０００９】
スリーブ管３０は、細長い形を呈し、中央に貫通孔３１を有し、貫通孔３１はスリーブ管３０の長軸方向に沿ってスリーブ管３０を貫通する。スリーブ管３０は貫通孔３１によって締め付けユニット２０のシャフト２１に被さり、両端がグリップ１０のストッパー１４および締め付けユニット２０のストッパー２３に別々に突き当たる。スリーブ管３０はシャフト２１に対し回転することが可能である。グリップ管３０は外部がカバー３２によって被覆される。
【００１０】
本考案の構造が組み立てられた後、スリップ管３０はグリップ１０のストッパー１４および締め付けユニット２０のストッパー２３との間に挟まれ、重り１３はスリーブ管３０およびグリップ１０との間に位置付けられる。使用の際、両手でグリップ１０およびスリーブ管３０を別々に握り、ウエイトリフティングなどの重量トレーニングを進めることが可能である。あるいは両手でグリップ１０およびスリーブ管３０を別々に握って捻りながら腕力トレーニングを進めることが可能である。腕力トレーニング棒を回す際、スリーブ管３０はグリップ１０および締め付けユニット２０に対し回転する。旋転ボタン２４は回転によってグリップ１０のストッパー１４および締め付けユニット２０のストッパー２３がスリーブ管３０に対する圧迫力を調整することが可能であるため、締め付けユニット２０がきつく締め付けられると、グリップ１０のストッパー１４および締め付けユニット２０のストッパー２３がスリーブ管３０に対する圧迫力が比較的大きくなるため、捻る際により強い力を加えなければならない。締め付けユニット２０が緩められると、グリップ１０のストッパー１４および締め付けユニット２０のストッパー２３がスリーブ管３０に対する圧迫力が比較的小さくなるため、捻る際に軽い力を入れればよい。
【００１１】
（第二実施形態）
図４から図６に示すのは本考案の第二実施形態である。第二実施形態は第一実施形態の構造とだいたい同じで、グリップ１０、締め付けユニット２０およびスリーブ管３０を備える。第一実施形態との違いは次のとおりである。第二実施形態において、グリップ１０は、スリーブ１１および装着区１２が特に区切られることなく一体成形される。グリップ１０は一端にストッパー１４を有し、スリーブ管３０はカバー３２が配置されず一体成形され、両端によってグリップ１０のストッパー１４および締め付けユニット２０のストッパー２３に突き当たる。同様にスリーブ管３０は、グリップ１０および締め付けユニット２０に対し回転可能である。旋転ボタン２４は回転によってグリップ１０のストッパー１４および締め付けユニット２０のストッパー２３がスリーブ管３０に対する圧迫力を調整することが可能である。
【符号の説明】
【００１２】
１０：グリップ、  １１：スリーブ、  １２：装着区、  １３：重り、  １４：ストッパー、  １５：ねじ山孔、  ２０：締め付けユニット、  ２２：ねじ山部位、  ２３：ストッパー、  ２４：旋転ボタン、  ３０：スリーブ管、  ３１：貫通孔
【図１】
0003155076.tif 000003
【図２】
0003155076.tif 000004
【図３】
0003155076.tif 000005
【図４】
0003155076.tif 000006
【図５】
0003155076.tif 000007
【図６】
0003155076.tif 000008